(57)【特許請求の範囲】
【請求項１】
取付面に固定される端子台と、それぞれねじ付きの端子部、端子部に連設され端子台に収納される中間部、並びに、中間部に連設され端子台に対し取付面に平行な方向に突出してプラグイン式の回路遮断器に接続される差込刃を連続一体形成した２つの端子板とを備え、
端子台に対して差込刃が突出する方向は２つの端子板で互いに共通であって、
端子台において取付面に向けられる面の反対面には、端子台に対する差込刃の突出方向に向かって取付面に交差する方向での寸法を大きくする段が設けられ、端子台において前記段よりも差込刃に近い部位を取付面との間に挟む位置には一方の端子板の端子部が配置され、端子台において前記段よりも差込刃から離れた部位を取付面との間に挟む位置には他方の端子板の端子部が配置され、
端子台において取付面に平行となる方向であって端子台に対する差込刃の突出方向に直交する方向へ向けられた一側面には、端子板に一対一に対応しそれぞれ端子板の中間部が収納され一端から端子部が突出して他端から差込刃が突出する２つの収納溝が取付面に直交する方向に並べて設けられ、
一方の端子板の差込刃と、他方の端子板の差込刃とは、取付面に直交する方向に並び、
各端子板の中間部はそれぞれ取付面との間の距離を端子部と差込刃とで互いに異ならせる段差部を有し、端子板の段差部に対し、端子台に対する差込刃の突出方向の反対方向に位置して収納溝の内面を構成する立壁が、各端子板についてそれぞれ端子台に設けられ、
取付面から離れた側の端子板に関し、収納溝は、端子台に対する端子部の位置を維持したまま端子台に対する差込刃の突出方向に直交する面内で端子板を１８０°回転させたときに中間部を収納して差込刃を突出させるような位置にも形成されていることを特徴とする接続変換装置。
【請求項２】
端子台には、差込刃の突出方向の反対方向に突出して取付面に当接する取付片と、取付面に平行な方向であって差込刃の突出方向に交差する方向に突出して取付面に当接する取付片とが設けられ、
各取付片には、それぞれ取付ねじが挿通される挿通部が形成され、
端子台において取付面に向けられる面には、差込刃の突出方向に交差する方向に突出した取付片が係合する係合溝が設けられていることを特徴とする請求項１記載の接続変換装置。
【請求項３】
収納溝の開口であって端子台に対する差込刃の突出方向に交差する向きの開口と、端子台において取付面に向けられる面の反対面とをそれぞれ覆う、端子台に対する差込刃の突出方向に直交する断面での断面形状がＬ字形状であるカバーを備えることを特徴とする請求項１又は請求項２記載の接続変換装置。
【請求項４】
端子台に対して差込刃の突出方向に交差する方向であって収納溝が開口した方向に突出する引掛突起と、端子台に対し取付面から離れる方向に突出する引掛突起とをそれぞれ設け、引掛突起に引掛けられる引掛孔をカバーに設けたことを特徴とする請求項３記載の接続変換装置。
【請求項５】
端子台に対して収納溝が開口した方向に突出した引掛突起は、取付面から離れる方向に曲がった後に差込刃の突出方向に交差する方向であって収納溝が開口した方向の反対方向へ曲がった断面コ字形状であって、端子台に対して取付面から離れる方向に突出した引掛突起は、差込刃の突出方向に交差する方向であって収納溝が開口した方向の反対方向へ曲がった断面Ｌ字形状であることを特徴とする請求項４記載の接続変換装置。
【発明の詳細な説明】
【０００１】
【発明の属する技術分野】
本発明は、電線導体とプラグイン式の回路遮断器との間に介在し、電線導体とプラグイン式の回路遮断器とを電気的に接続する接続変換装置に関する。
【０００２】
【従来の技術】
一般に、集合住宅やマンション等の各需要家に使用される住宅用分電盤にあっては、各需要家内に設けられた火災報知器や消火設備等の非常用機器への電源を確保できるように、主幹開閉器の一次側（電源側）から非常用電源を得る非常電源系を設けてあり、非常電源系には一次送り開閉器が介在している。ここに、一次送り開閉器は入力側が主幹開閉器の一次側に送り線を介して接続されている。
【０００３】
ところで、近年、本出願人は、分電盤の施工時間の短縮化を目的として、主幹開閉器の二次側に接続される分岐開閉器としてプラグイン式の回路遮断器を用いた分電盤（例えば、特開平１１−１８７５１７号公報）を提案している。
【０００４】
【発明が解決しようとする課題】
回路遮断器を共通化するために、一次送り開閉器にもプラグイン式の回路遮断器を用いることが考えられるが、送り線は単なる被覆電線であるので、この送り線の末端を接続するねじ式の回路遮断器を、一次送り開閉器として使用しなければならず、一次送り開閉器をプラグイン式の回路遮断器とすることができなかった。
【０００５】
本発明は、このような事由に鑑みて成されたものであり、その目的とするところは、電線導体とプラグイン式の回路遮断器との間に介在し電線導体とプラグイン式の回路遮断器とを電気的に接続することが可能であって、特に、回路遮断器の幅方向における寸法を小型化できる接続変換装置を提供することにある。
【０００６】
【課題を解決するための手段】
上記課題を解決するための請求項１記載の発明は、取付面に固定される端子台と、それぞれねじ付きの端子部、端子部に連設され端子台に収納される中間部、並びに、中間部に連設され端子台に対し取付面に平行な方向に突出してプラグイン式の回路遮断器に接続される差込刃を連続一体形成した２つの端子板とを備え、端子台に対して差込刃が突出する方向は２つの端子板で互いに共通であって、端子台において取付面に向けられる面の反対面には、端子台に対する差込刃の突出方向に向かって取付面に交差する方向での寸法を大きくする段が設けられ、端子台において前記段よりも差込刃に近い部位を取付面との間に挟む位置には一方の端子板の端子部が配置され、端子台において前記段よりも差込刃から離れた部位を取付面との間に挟む位置には他方の端子板の端子部が配置され、端子台において取付面に平行となる方向であって端子台に対する差込刃の突出方向に直交する方向へ向けられた一側面には、端子板に一対一に対応しそれぞれ端子板の中間部が収納され一端から端子部が突出して他端から差込刃が突出する２つの収納溝が取付面に直交する方向に並べて設けられ、一方の端子板の差込刃と、他方の端子板の差込刃とは、取付面に直交する方向に並び、各端子板の中間部はそれぞれ取付面との間の距離を端子部と差込刃とで互いに異ならせる段差部を有し、端子板の段差部に対し、端子台に対する差込刃の突出方向の反対方向に位置して収納溝の内面を構成する立壁が、各端子板についてそれぞれ端子台に設けられ、取付面から離れた側の端子板に関し、収納溝は、端子台に対する端子部の位置を維持したまま端子台に対する差込刃の突出方向に直交する面内で端子板を１８０°回転させたときに中間部を収納して差込刃を突出させるような位置にも形成されていることを特徴とする。
【０００９】
請求項２記載の発明は、請求項１記載の接続変換装置において、端子台には、差込刃の突出方向の反対方向に突出して取付面に当接する取付片と、取付面に平行な方向であって差込刃の突出方向に交差する方向に突出して取付面に当接する取付片とが設けられ、各取付片には、それぞれ取付ねじが挿通される挿通部が形成され、端子台において取付面に向けられる面には、差込刃の突出方向に交差する方向に突出した取付片が係合する係合溝が設けられていることを特徴とする。
【００１０】
請求項３記載の発明は、請求項１又は請求項２記載の接続変換装置において、収納溝の開口であって端子台に対する差込刃の突出方向に交差する向きの開口と、端子台において取付面に向けられる面の反対面とをそれぞれ覆う、端子台に対する差込刃の突出方向に直交する断面での断面形状がＬ字形状であるカバーを備えることを特徴とする。
【００１１】
請求項４記載の発明は、請求項３記載の接続変換装置において、端子台に対して差込刃の突出方向に交差する方向であって収納溝が開口した方向に突出する引掛突起と、端子台に対し取付面から離れる方向に突出する引掛突起とをそれぞれ設け、引掛突起に引掛けられる引掛孔をカバーに設けたことを特徴とする。
【００１２】
請求項５記載の発明は、請求項４記載の接続変換装置において、端子台に対して収納溝が開口した方向に突出した引掛突起は、取付面から離れる方向に曲がった後に差込刃の突出方向に交差する方向であって収納溝が開口した方向の反対方向へ曲がった断面コ字形状であって、端子台に対して取付面から離れる方向に突出した引掛突起は、差込刃の突出方向に交差する方向であって収納溝が開口した方向の反対方向へ曲がった断面Ｌ字形状であることを特徴とする。
【００１３】
【発明の実施の形態】
図１は本発明の一実施形態に係る接続変換装置の分解斜視図、図２は図１の接続変換装置を含む分電盤の分解斜視図、図３（ａ）〜（ｃ）はそれぞれ図２の分電盤の前面（正面）図、左側面断面図およびこの一部拡大図、図４は図２の分電盤内部の前面図であり、これらの図を用いて本実施形態について説明する。ただし、本実施形態では、図３（ａ）および図４を各部材の方向の基準とする。
【００１４】
本実施形態における分電盤は、いわゆる住宅用分電盤であり、図２〜図４に示すように、分岐開閉器ブロック１、主幹開閉器ブロック２、取付台３、箱体４および蓋体５などにより構成される。以下、これらの各部についてさらに図面を用いて順次説明する。
【００１５】
図５は分岐開閉器ブロックの一部分解斜視図、図６は分岐開閉器ブロックの一部を示す分解斜視図、図７〜図１０は分岐開閉器ブロックの組付説明図である。
【００１６】
分岐開閉器ブロック１は、図３（ｂ），（ｃ）に示すように、２極の開閉機構部を内蔵する器体の短手側の一側面に導電バー挿入用の差込口１１ａ，１１ｂ，１１ｃを（同図ではそれぞれを上、中、下の三段に）有するプラグイン式の回路遮断機である分岐開閉器１１を複数備えているほか、図５および図６に示すように、中性極用の導電バー１２、電圧極用の一対の導電バー１３、取付台１４、係止部材１５および基板１６を備えている。
【００１７】
ただし、本実施形態の分岐開閉器ブロック１は、図２，図３（ａ），図４に示すように、分岐開閉器１１を８個づつ上下に且つ上記一側面側がそれぞれ対面するように対向配置して構成されるものであるが、図５，図６には、分岐開閉器１１を４個づつ同様に対向配置して構成されるものを、分岐開閉器ブロック１として代用図示してある。
【００１８】
導電バー１２は、図６に示すように、例えば銅製の金属板により一の方向に延びる平角状に形成されて成り、丸孔１２１ａがその方向に沿って複数穿設された中央部１２１と、この各側に連設された端部１２２とを一体に有する構造になっている。各端部１２２には、ねじＳ（図４参照）の足部挿通用の挿通孔１２２ａが穿設されているほか、挿通孔１２２ｂおよび孔１２２ｃが穿設されている。
【００１９】
導電バー１３は、例えば銅製の金属板を用いて、一の方向に延びる平角状に形成された導電部１３１と、この導電部１３１における一の方向に延びる一の縁部からほぼ直角に前方（図６では上方）に立ち上がる複数の接続部１３２とを一体に有する形状に形成されている。導電部１３１には、ねじＳの足部挿通用の挿通孔１３１ａが両端に穿設されているほか、その間に複数の孔１３１ｂが穿設されている。他方、各接続部１３２の先端は、脚片１３２ｂ，１３２ｃとして互いに異なる高さ位置で逆方向を向くように屈曲されている。
【００２０】
取付台１４は、例えば絶縁性の樹脂などを用いて、複数の分岐開閉器１１が前面（図６では上面）に配置される板状の載置部１４１と、この載置部１４１の前面を上下に二等分する一の方向における両側から前方に突出された一対の支持ポスト１４２と、これらの間であって載置部１４１の前面から前方に突出された隔壁部１４３とを一体に有する形状に形成されている。ただし、隔壁部１４３により等分された載置部１４１の各前面は、図３（ｃ），図６に示すように、隔壁部１４３側が１段低くなった段差構造になっている。
【００２１】
この段差構造の載置部１４１の前面には、各分岐開閉器１１の長手側の一側面に形成されたＬ字状の係合溝１１ｄの狭くなった部分と先端が係合するＬ字状の突起１４１ａが上下端に複数突設され、これら複数の突起１４１ａと隔壁部１４３との間における一段低くなった領域のほぼ中央に、導電バー１３の導電部１３１の上下（図３（ｃ）では左右）方向の動きを禁止する半円柱状のピン１４１ｂが複数突設され（図７，図９参照）、そしてこれら複数のピン１４１ｂと複数の突起１４１ａとの間における一段高くなった領域に、各分岐開閉器１１の左右方向の動きを禁止する突片１４１ｃが複数突設されている。また、各ピン１４１ｂの高さは、載置部１４１の段差高に設定されているほか、複数のピン１４１ｂのうち、いくつかの先端には、図３（ｃ），図７，図９に示すように、導電バー１３の導電部１３１の縁部に係止して、その前後（図３（ｃ）では上下）方向の動きを禁止する爪が形成されている。また、載置部１４１の前面における各支持ポスト１４２の上下両側には、例えば図示しないナットを有する凹部１４１ｄが一対づつ設けられている。さらに、載置部１４１の後面には、当該取付台１４を基板１６に組み付けるための断面Ｌ字状の突片１４１ｅが複数形成されている（図８，図１０参照）。なお、載置部１４１の一段低くなった前面は、大電流用のより幅広の導電部を有する導電バーを取り付けることができるようにするため、導電バー１３の導電部１３１の幅よりも広くなっている。また、その大電流用の導電バーの導電部には、複数のピン１４１ｂを挿入するための複数の孔（図６の１３１ｂ参照）が形成される。
【００２２】
支持ポスト１４２は、図６に示すように、角柱状に形成され、前方の先端面には、例えば図示しないナットを有する凹部１４２ａが導電バー１２の挿通孔１２２ａに対応する位置に設けられているほか、導電バー１２の挿通孔１２２ｂに挿入される突起１４２ｂが突設されている。
【００２３】
隔壁部１４３は、一対の支持ポスト１４２間の全体に亘って壁状に形成されており、各壁面には、導電バー１３の複数の脚片１３２ｂ，１３２ｃを各接続部１３２ごとに分離する突条部１４３ａが形成されている。
【００２４】
係止部材１５は、弾性を有する合成樹脂などにより図６に示す形状に形成されて成り、導電バー１２の複数の丸孔１２１ａに圧入される複数の突起（図６では下方の面に隠れている）を後面に一体に有する構造になっている。ただし、図６中の１５ａはＴ字状の係止部である。
【００２５】
基板１６は、図５に示すように、例えば鉄製の金属板によりＨ字状に形成されて成り、一の方向に延びる一対の架橋部１６１と、これらの間に介設される中央部１６２とを一体に有する構造になっている。また、架橋部１６１には、取付台１４の載置部１４１の後面に形成された複数の突片１４１ｅを挿入してこれを係止する複数の係止孔１６１ａが、一の方向の中寄りに穿設され、その方向の左端側には位置決め用の円状の突部１６１ｂおよびねじ孔１６１ｃなどが形成され、そしてその右端側にはねじＳ１（図４参照）用のねじ挿通孔１６１ｄが穿設されている。
【００２６】
ここで、上記分岐開閉器ブロック１の組立手順について主に図６を用いて説明する。例えば、まず、一対の導電バー１３の各々について、導電バー１３の複数の脚片１３２ｂ，１３２ｃが各接続部１３２ごとに取付台１４の突条部１４３ａで分離されるようにしながら、取付台１４の載置部１４１の一段低くなった前面に導電バー１３を載置する。このとき、図３（ｃ）に示すように、導電バー１３の導電部１３１の縁部に、ピン１４１ｂの爪が係止するので、導電バー１３の前後方向の動きが禁止されることになる。
【００２７】
この後、導電バー１２の各挿通孔１２２ｂに取付台１４の両支持ポスト１４２の各突起１４２ｂを挿通しながら、導電バー１２を各支持ポスト１４２上に取り付けるとともに、係止部材１５の後面に形成された複数の突起を導電バー１２の複数の丸孔１２１ａにそれぞれ圧入して、係止部材１５を導電バー１２の前面に取り付ける。
【００２８】
この後、複数の分岐開閉器１１の各々について、分岐開閉器１１の係合溝１１ｄ内の差込口側に取付台１４の載置部１４１の突起１４１ａを挿入しながら（図３（ｃ）参照）、分岐開閉器１１の差込口１１ａ，１１ｂ，１１ｃを、それぞれ導電バー１２の中央部１２１、両導電バー１３の前後方向に高さ位置が異なる両脚片１３２ｂ，１３２ｃの先端に対向させるようにして、分岐開閉器１１を載置部１４１の前面に載置する。続いて、その分岐開閉器１１を取付台１４の隔壁部１４３側にスライドさせて、分岐開閉器１１の係合溝１１ｄの狭くなった部分に突起１４１ａの先端を係合させる。このとき、各分岐開閉器１１の前面に設けられた断面三角状の両突起（後述の図１２の１１ｅ参照）のテーパ面を、係止部材１５のＴ字状の係止部１５ａの頭部が乗り越えて、その頭部が両突起１１ｅに係止する。これにより、前後左右上下の全方向の移動が禁止された状態で各分岐開閉器１１などが組み付けられた図５の上部に示す施工ないし製造過程での仕掛品が得られる。
【００２９】
この後、図７，図８に示すようにして、上記仕掛品の取付台１４の各突片１４１ｅを、基板１６の各係止孔１６１ａに挿入し、続いて、図９，図１０に示すように、上記仕掛品を基板１６に対してあるいは基板１６を仕掛品に対してスライドさせる。これにより、分岐開閉器ブロック１が得られる。
【００３０】
なお、上記組立の際、図４に示すように、少なくとも導電バー１２の左右方向における右端側をねじＳでねじ止めするようにしてもよく、あるいはさらにその左端を、例えば図６に示す孔１２２ｃでねじ止めするようにしてもよい。
【００３１】
図１１は主幹開閉器ブロックの前面図、図１２は主幹開閉器ブロックの一部を示す分解斜視図である。
【００３２】
主幹開閉器ブロック２は、図１１に示すように、器体２１０を有し、一次側となる電圧極用の両端子Ｔ１および中性極用の端子Ｔ１Ｎが器体２１０の前面中央に設けられ、二次側となる電圧極用の両端子Ｔ２および中性極用の端子Ｔ２Ｎが器体２１０の右側面側に設けられた主幹開閉器２１を備えているほか、図１，図１２に示すように、接続変換装置２０、一次送り開閉器２２、取付具２３および基板２４を備えている。ただし、端子Ｔ２Ｎ，Ｔ２は、それぞれ分岐開閉器ブロック１の導電バー１２，１３の左端側前面に載る位置に設けられ、端子Ｔ２Ｎ，Ｔ２の各々には、ねじＳの足部挿通用の挿通孔が穿設されている。なお、接続変換装置２０については後述する。
【００３３】
一次送り開閉器２２は、各分岐開閉器１１と同様のプラグイン式の回路遮断機であり、出力側には、例えば図示しない火災報知器や消火設備などの非常用機器が接続される。ただし、図１２中の１１ｅは上述の突起である。
【００３４】
取付具２３は、鉄製の金属板を図１２に示す形状に屈曲して成り、上下方向に延びる断面コ字状の中央部２３１と、この前面と面一に左方に延設された取付片２３２と、この上下に中央部２３１からそれぞれ延設された断面Ｌ字状の両突片２３３と、中央部２３１の上下端にそれぞれ延設された両取付片２３４とを一体に有する構造になっている。また、中央部２３１には、一次送り開閉器２２の差込口が無い方の短手側の側面に形成された引掛孔（図１２では右上側面に隠れている）に、引っ掛ける引掛爪２３１ａが形成されているとともに、孔２３１ｂおよびねじＳ２００用のねじ孔２３１ｃが形成されている。さらに、取付片２３２にもねじＳ２００用のねじ孔２３２ａが形成され、各取付片２３４にはねじＳ２０１の足部挿通用の挿通孔２３４ａが形成されている。なお、ねじＳ２００，Ｓ２０１に対しては、図１２の例では同じものが使用されている。
【００３５】
基板２４は、鉄製の金属板により図１２に示す形状に形成されて成り、主幹開閉器２１をねじ止めするためのねじ孔が形成された主幹開閉器取付部２４１と、この四隅にそれぞれ延設された取付片２４２〜２４５と、左方に位置する両取付片２４４，２４５に連通し両端にねじＳ２０１用のねじ孔２４６ａ，２４６ｂが形成された板状の取付部２４６とを一体に有する構造になっている。また、取付片２４２〜２４５には、それぞれ挿通孔２４２ａ〜２４５ａが穿設されており、これらのうち取付片２４２，２４３には、ねじＳ１２（図４参照）の足部挿通用の挿通孔２４２ｂ，２４３ｂがさらに形成されている。なお、上記主幹開閉器ブロック２の組立手順については後述する。
【００３６】
図２，図４に戻って、取付台３は、例えば鉄製の金属板により同図に示す形状に形成されて成り、上下方向に延びる当該取付台３の前面上側に設けられた台座部３１と、当該取付台３の前面下側に設けられた台座部３２とを一体に有する構造になっている。また、台座部３２の前面には、その下端側から前方に突出された先端上向きのＬ字状の支持部３２ａが延設されている。さらに、取付台３の上下の両端部には、それぞれねじＳ３の足部挿通用の挿通孔が穿設されている。
【００３７】
箱体４は、例えば絶縁性の樹脂などにより底部４１に四角状の孔４１ａを有する箱状に形成されている。底部４１は、孔４１ａに沿って左右方向に延びる両縁部に配列された複数対のねじＳ３用の穴部４１０と、孔４１ａの右方上下にそれぞれ設けられ分岐開閉器ブロック１の基板１６における両架橋部１６１の右端側を載置する円柱状の台座部４１１，４１２と、孔４１ａの左方上下にそれぞれ設けられ主幹開閉器ブロック２の基板２４における両取付片２４４，２４５を載置する円柱状の台座部４１３，４１４と、台座部４１１〜４１４の近傍にそれぞれ設けられたガイド壁４１５〜４１８とを有する構造になっている。また、台座部４１１，４１２の先端面にはねじＳ１用の穴部４１１ａ，４１２ａが形成され、台座部４１３，４１４の先端面にはねじＳ２用の穴部４１３ａ，４１４ａが形成されている。また、ガイド壁４１６，４１８にはそれぞれ上向きの受け片４１６ａ，４１８ａが形成されている。さらに、箱体４の上側面４２の縁部には、当該箱体４の開口縁部に取り付けられた蓋体５を固定するための一対の係止突片４２１が形成されている。
【００３８】
蓋体５は、例えば絶縁性の樹脂などにより、図２，図３（ａ）に示すように箱体４の開口を閉塞する形状に形成され、各分岐開閉器１１の操作部を外部に露出させる窓孔５１と、主幹開閉器２１および一次送り開閉器２２の操作部を外部に露出させる窓孔５２とを前面に有し、箱体４の開口縁部に取り付けられるようになっている。
【００３９】
図１３〜図１５はそれぞれ本実施形態に係る接続変換装置の前面図、下側面図および斜視図であり、これらの図および図１，図１１，図１２を用いて、接続変換装置２０について説明する。
【００４０】
接続変換装置２０は、図１および図１２に示すように、取付具２３の取付面からの距離がそれぞれ異なる２つの階段面を有する階段部２００ａ，２００ｂ及び各階段面から連設する形で短手方向の開口側（図１１では左側）から収納溝２００ｃ，２００ｄが各々形成された例えば絶縁樹脂性の端子台２００と、この端子台２００の各階段面に配設されて電線導体Ｌ１，Ｌ２を接続するねじＳ２０付の端子部２０１ａ，２０２ａ及びこれらに連設され収納溝２００ｃ，２００ｄに収納した中間部２０１ｂ，２０２ｂ並びにこれらに連設され端子台２００から突出して一次送り開閉器２２の差込口１１ａ，１１ｃ内の受け刃に接続される差込刃２０１ｃ，２０２ｃを連続一体形成した２つの端子板２０１，２０２と、端子台２００の短手方向の開口部分から上面（同図では前面）まで塞ぐ、断面Ｌ字状で例えば絶縁樹脂製のカバー２０３とを備え、端子台２００の各階段面は長手方向に沿って長手方向一方側（同図では上側）に形成され、差込刃２０１ｃ，２０２ｃは、端子台２００の長手方向に沿って長手方向他方側（下側）から突出する構造になっている。
【００４１】
端子板２０１，２０２は、それぞれ、中間部２０１ｂ，２０２ｂに、端子部２０１ａ，２０２ａと差込刃２０１ｃ，２０２ｃとが取付面からの距離を異なる形として折曲した段差部を有し、収納溝２００ｃ，２００ｄの段差部と端子部２０１ａ，２０２ａに対応する位置に立壁２００ｅ，２００ｆが形成されている。つまり、段差部である中間部２０１ｂ，２０２ｂに対して、立壁２００ｅ，２００ｆが差込刃２０１ｃ，２０２ｃの一次送り開閉器２２への差込側とは逆側に存在するのである。
【００４２】
収納溝２００ｄは、端子板２０２の表裏（図１１の方向では前面と後面）をひっくり返したときにそれぞれの状態における端子板２０２の中間部２０２ｂを収納する位置に形成されている。つまり、収納溝２００ｄは、端子板２０２の表裏をひっくり返したときのいずれの状態でも、その中間部２０２ｂを当該収納溝２００ｄ内に収納し、その差込刃２０２ｃを当該収納溝２００ｄから外部に案内する形状に形成されているのである。また、立壁２００ｇが立壁２００ｆと同一平面上に形成されている。
【００４３】
端子台２００は、長手方向一方側（図１３では上側）と短手方向一方側（同図では左側）とに、取付具２３の取付面に当接し取付ねじＳ２００が挿通される凹部２００ｈ，２００ｉが形成された取付片２００ｊ，２００ｋを有し、図１５に示すように、端子台２００の外部底面に、短手方向の取付片２００ｋが係合する係合溝２００ｌを有している。
【００４４】
端子台２００は短手方向一方側（図１３では左側）と上面（前面）とに引掛突起２００ｍ，２００ｎを有し、カバー２０３は引掛突起２００ｍ，２００ｎに引掛けられる引掛孔２０３ａ，２０３ｂを有している。また、短手方向一方側の引掛突起２００ｍは、その引掛方向を端子台２００の短手方向端面対向側とし、上面の引掛突起２００ｎの引掛方向を短手方向一方側の引掛突起２００ｍの引掛方向と同一方向（図１３では右方）としている。つまり、引掛突起２００ｎは、端子台２００の長手方向他方側（図１３では下側）の前面から前方に突出する先端右向きの形状に形成されており、当該引掛突起２００ｎがカバー２０３の引掛孔２０３ｂ内に填り込んでカバー２０３を掛止する。他方、引掛突起２００ｍは、図１３に示すように、端子台２００の階段部２００ａの底部左端から左方に所定長突出し、その端で前方に延びる先端右向きの形状に形成されており、図１４に示すように、その先端部分がカバー２０３の左面側に回り込んで、その引掛孔２０３ａに当該引掛突起２００ｍの先端が引っ掛かり、カバー２０３を掛止するのである。
【００４５】
さらに、端子台２００の収納溝２００ｃ，２００ｄの開口側には、図１４に示すように、端子板２０１，２０２の抜け止め用の突起２００ｏ，２００ｐ，２００ｑが形成されており、複数の端子台２００を横並びに並設した場合、図１５に示すように、突起２００ｏ，２００ｐ，２００ｑおよび引掛突起２００ｍが入る孔２００ｒ，２００ｓ，２００ｔ，２００ｕが端子台２００の一側面（図１３では右側面）に形成されている。
【００４６】
このような構造の接続変換装置２０は、端子板２０１，２０２の中間部２０１ｂ，２０２ｂを端子台２００の収納溝２００ｃ，２００ｄにそれぞれ収納して、ねじＳ２０付の端子板２０１，２０２を端子台２００に装着し、カバー２０３の引掛孔２０３ａ，２０３ｂに端子台２００の引掛突起２００ｍ，２００ｎをそれぞれ引っ掛けて、カバー２０３を端子台２００に装着することにより、簡単に組み付けることができる。
【００４７】
そして、組み付けられた接続変換装置２０の差込刃２０１ｃ，２０２ｃをそれぞれ一次送り開閉器２２の差込口１１ａ，１１ｃに差し込み、これら一式を、一次送り開閉器２２の引掛孔に取付具２３の引掛爪２３１ａを引っ掛けるようにして、取付具２３の取付面に載置する（図１２参照）。この後、取付ねじＳ２００の足部を取付片２００ｊ，２００ｋの凹部２００ｈ，２００ｉに通してねじ孔２３１ｃ，２３２ａに合わせて、接続変換装置２０の端子台２００を取付具２３にねじ止めする。これにより、接続変換装置２０および一次送り開閉器２２の一式が取付具２３に固定されることになる。
【００４８】
この後、これら一式を、基板２４の取付部２４６に載置し、取付部２４６のねじ孔２４６ａ，２４６ｂに対して取付具２３の各挿通孔２３４ａの位置合わせをした上で、ねじＳ２０１を用いて当該一式を基板２４にねじ止めする。これにより、接続変換装置２０、一次送り開閉器２２および取付具２３の一式が基板２４に固定されることになる。なお、これら一式の基板２４への固定の前後に、主幹開閉器２１も基板２４にねじ止めされる。
【００４９】
これらの後、主幹開閉器２１の端子Ｔ１と接続変換装置２０の端子板２０１とに電線導体Ｌ１の両端を接続するとともに、主幹開閉器２１の端子Ｔ１Ｎと接続変換装置２０の端子板２０２とに電線導体Ｌ２の両端を接続する。これにより、図１１に示す主幹開閉器ブロック２が得られる。ただし、図１１では、カバー２０３の図示を省略してある。
【００５０】
そして、図４に示すように、分岐開閉器ブロック１の基板１６の両架橋部１６１の左端側前面に、主幹開閉器取付部２４１の両取付片２４２，２４３を載置する。このとき、両取付片２４２，２４３の挿通孔２４２ａ，２４３ａに両突部１６１ｂが填り込むようにする。続いて、分岐開閉器ブロック１と主幹開閉器ブロック２とをねじＳ１２でねじ止めして固定する。
【００５１】
この後、底部４１の所定位置にねじＳ３で取付台３がねじ止め固定され、壁面などに取り付けられた箱体４の底部４１に、ねじ止め固定された分岐開閉器ブロック１および主幹開閉器ブロック２を取り付ける。このとき、これら分岐開閉器ブロック１および主幹開閉器ブロック２の四隅がガイド壁４１５〜４１８内に収まるようにするとともに、その四隅のうちの下方側の２箇所が受け片４１６ａ，４１８ａの奥側に入り込むようにする。続いて、ねじＳ１，Ｓ２を用いて、分岐開閉器ブロック１および主幹開閉器ブロック２を箱体４の底部４１にねじ止め固定する。この後、蓋体５を箱体４の開口縁部に取り付ける。
【００５２】
ただし、上記手順において、導電バー１２，１３の右端側はねじＳでねじ止めされる一方、その左端側は、主幹開閉器２１の２次側の端子Ｔ２Ｎ，Ｔ２とねじＳで共締めされる。また、所定の配線などは従来と同様に行われるので、ここでの説明は省略してある。さらに、上記手順は一例であって他の手順でもよいことは言うまでもない。
【００５３】
以上、上記構造の接続変換装置２０によれば、一次送り開閉器２２の幅寸法を接続変換装置２０で吸収することができるから、従来（例えば特開平１１ー１８７５１７号公報に記載の導電バー支持台参照）よりも、端子台２００の短手方向をコンパクトにすることができ、また、カバー２０３により端子板２００の絶縁が図れる。
【００５４】
また、段差部である中間部２０１ｂ，２０２ｂに対して、立壁２００ｅ，２００ｆが差込刃２０１ｃ，２０２ｃの一次送り開閉器２２への差込側とは逆側に存在するので、差込刃２０１ｃ，２０２ｃを一次送り開閉器２２の差込口１１ａ，１１ｃに差し込むとき、中間部２０１ｂ，２０２ｂが立壁２００ｅ，２００ｆに当接するから、差込刃２０１ｃ，２０２ｃが端子台２００内に押込まれることを防止できる。
【００５５】
また、収納溝２００ｄが、端子板２０２の表裏をひっくり返したときにそれぞれの状態における端子板２０２の中間部２０２ｂを収納する位置に形成されているので、差込口の位置が異なる２種類のプラグイン式の回路遮断器に対応させることができる。
【００５６】
また、端子台２００は、長手方向一方側と短手方向一方側とに、取付具２３の取付面に当接し取付ねじＳ２００が挿通される凹部２００ｈ，２００ｉが形成された取付片２００ｊ，２００ｋを有し、端子台２００の底面に、短手方向の取付片２００ｋが係合する係合溝２００ｌを有しているので、複数の端子台２００を横並びに連続して並設することができる。このとき、短手方向の取付片２００ｋが邪魔にならないだけでなく、好適に複数の端子台２００を並設することができる。
【００５７】
また、端子台２００は短手方向一方側と上面とに引掛突起２００ｍ，２００ｎを有し、カバー２０３は引掛突起２００ｍ，２００ｎに引掛けられる引掛孔２０３ａ，２０３ｂを有しているので、端子台２００へのカバー２０３の取付を容易にすることができる。
【００５８】
さらに、短手方向一方側の引掛突起２００ｍは、その引掛方向を端子台２００の短手方向端面対向側とし、上面の引掛突起２００ｎの引掛方向を短手方向一方側の引掛突起２００ｍの引掛方向と同一方向としているので、カバー２０３を端子台２００の短手方向端面との間で挟む形で引掛けることができるから、端子台２００からカバー２０３を外れ難くすることができる。
【００５９】
【発明の効果】
以上のことから明らかなように、請求項１記載の発明は、取付面に固定される端子台と、それぞれねじ付きの端子部、端子部に連設され端子台に収納される中間部、並びに、中間部に連設され端子台に対し取付面に平行な方向に突出してプラグイン式の回路遮断器に接続される差込刃を連続一体形成した２つの端子板とを備え、端子台に対して差込刃が突出する方向は２つの端子板で互いに共通であって、端子台において取付面に向けられる面の反対面には、端子台に対する差込刃の突出方向に向かって取付面に交差する方向での寸法を大きくする段が設けられ、端子台において前記段よりも差込刃に近い部位を取付面との間に挟む位置には一方の端子板の端子部が配置され、端子台において前記段よりも差込刃から離れた部位を取付面との間に挟む位置には他方の端子板の端子部が配置され、端子台において取付面に平行となる方向であって端子台に対する差込刃の突出方向に直交する方向へ向けられた一側面には、端子板に一対一に対応しそれぞれ端子板の中間部が収納され一端から端子部が突出して他端から差込刃が突出する２つの収納溝が取付面に直交する方向に並べて設けられ、一方の端子板の差込刃と、他方の端子板の差込刃とは、取付面に直交する方向に並び、各端子板の中間部はそれぞれ取付面との間の距離を端子部と差込刃とで互いに異ならせる段差部を有し、端子板の段差部に対し、端子台に対する差込刃の突出方向の反対方向に位置して収納溝の内面を構成する立壁が、各端子板についてそれぞれ端子台に設けられ、取付面から離れた側の端子板に関し、収納溝は、端子台に対する端子部の位置を維持したまま端子台に対する差込刃の突出方向に直交する面内で端子板を１８０°回転させたときに中間部を収納して差込刃を突出させるような位置にも形成されているので、プラグイン式の回路遮断器の幅寸法を接続変換装置で吸収することができるから、端子台の短手方向をコンパクトにすることができる。また、差込刃をプラグイン式の回路遮断器に差込接続するときに、段差部が収納溝の立壁に当接するから、差込刃が端子台内に押込まれることを防止できる。さらに、差込刃が差込まれる位置が異なる２種類のプラグイン式の回路遮断器に対応させることができる。
【００６２】
請求項２記載の発明は、請求項１記載の接続変換装置において、端子台には、差込刃の突出方向の反対方向に突出して取付面に当接する取付片と、取付面に平行な方向であって差込刃の突出方向に交差する方向に突出して取付面に当接する取付片とが設けられ、各取付片には、それぞれ取付ねじが挿通される挿通部が形成され、端子台において取付面に向けられる面には、差込刃の突出方向に交差する方向に突出した取付片が係合する係合溝が設けられているので、複数の端子台を横並びに連続して並設することができる。
【００６３】
請求項３記載の発明は、請求項１又は請求項２記載の接続変換装置において、収納溝の開口であって端子台に対する差込刃の突出方向に交差する向きの開口と、端子台において取付面に向けられる面の反対面とをそれぞれ覆う、端子台に対する差込刃の突出方向に直交する断面での断面形状がＬ字形状であるカバーを備えるので、カバーにより端子板の絶縁が図れる。
【００６４】
請求項４記載の発明は、請求項３記載の接続変換装置において、端子台に対して差込刃の突出方向に交差する方向であって収納溝が開口した方向に突出する引掛突起と、端子台に対し取付面から離れる方向に突出する引掛突起とをそれぞれ設け、引掛突起に引掛けられる引掛孔をカバーに設けたので、端子台へのカバーの取付を容易にすることができる。
【００６５】
請求項５記載の発明は、請求項４記載の接続変換装置において、端子台に対して収納溝が開口した方向に突出した引掛突起は、取付面から離れる方向に曲がった後に差込刃の突出方向に交差する方向であって収納溝が開口した方向の反対方向へ曲がった断面コ字形状であって、端子台に対して取付面から離れる方向に突出した引掛突起は、差込刃の突出方向に交差する方向であって収納溝が開口した方向の反対方向へ曲がった断面Ｌ字形状であるので、カバーを端子台の差込刃の突出方向に交差する方向の端面であって収納溝が開口した側の端面との間で挟む形で引掛けることができるから、端子台からカバーを外れ難くすることができる。
【図面の簡単な説明】
【図１】本発明の一実施形態に係る接続変換装置の分解斜視図である。
【図２】図１の接続変換装置を含む分電盤の分解斜視図である。
【図３】（ａ）〜（ｃ）はそれぞれ図２の分電盤の前面（正面）図、左側面断面図およびこの一部拡大図である。
【図４】図２の分電盤内部の前面図である。
【図５】分岐開閉器ブロックの一部分解斜視図である。
【図６】分岐開閉器ブロックの一部を示す分解斜視図である。
【図７】分岐開閉器ブロックの組付説明図である。
【図８】分岐開閉器ブロックの組付説明図である。
【図９】分岐開閉器ブロックの組付説明図である。
【図１０】分岐開閉器ブロックの組付説明図である。
【図１１】主幹開閉器ブロックの前面図である。
【図１２】主幹開閉器ブロックの一部を示す分解斜視図である。
【図１３】本実施形態に係る接続変換装置の前面図である。
【図１４】本実施形態に係る接続変換装置の下側面図である。
【図１５】本実施形態に係る接続変換装置の斜視図である。
【符号の説明】
１  分岐開閉器ブロック
１１  分岐開閉器
１２，１３  導電バー
１４  取付台
１５  係止部材
１６  基板
２  主幹開閉器ブロック
２０  接続変換装置
２００  端子台
２００ａ，２００ｂ  階段部
２００ｃ，２００ｄ  収納溝
２００ｅ，２００ｆ，２００ｇ  立壁
２００ｈ，２００ｉ  凹部
２００ｊ，２００ｋ  取付片
２００ｌ  係合溝
２００ｍ，２００ｎ  引掛突起
２００ｏ，２００ｐ，２００ｑ  突起
２００ｒ，２００ｓ，２００ｔ，２００ｕ  孔
２０１，２０２  端子板
２０１ａ，２０２ａ  端子部
２０１ｂ，２０２ｂ  中間部
２０１ｃ，２０２ｃ  差込刃
２０３  カバー
２０３ａ，２０３ｂ  引掛孔
２１  主幹開閉器
２２  一次送り開閉器
２３  取付具
２４  基板
３  取付台
４  箱体
５  蓋体
【図１】
0003785942.tif 000002
【図２】
0003785942.tif 000003
【図３】
0003785942.tif 000004
【図４】
0003785942.tif 000005
【図５】
0003785942.tif 000006
【図６】
0003785942.tif 000007
【図７】
0003785942.tif 000008
【図８】
0003785942.tif 000009
【図９】
0003785942.tif 000010
【図１０】
0003785942.tif 000011
【図１１】
0003785942.tif 000012
【図１２】
0003785942.tif 000013
【図１３】
0003785942.tif 000014
【図１４】
0003785942.tif 000015
【図１５】
0003785942.tif 000016